(57)【特許請求の範囲】
【請求項１】
交換レンズが装着可能であって揺動するミラーを有するカメラにおいて、
前記ミラーが揺動したときに枢軸と対向するミラー位置の位置規制を行う規制部と、
カメラ側バヨネット切欠部を有し前記交換レンズと装着可能なマウントとを有し、
前記カメラ側バヨネット切欠部と連結可能なレンズ側バヨネット爪より後方にレンズ後玉後端を有する第１のバックフォーカスの交換レンズの当該レンズ後玉後端に対して干渉しないように前記揺動するミラーを設け、かつ該干渉しないミラーの規制を行うように前記規制部を設けることによって、第１のバックフォーカスの交換レンズと当該第１のバックフォーカスよりも長い第２のバックフォーカスの交換レンズとをいずれも装着することができることを特徴とするカメラ。
【請求項２】
請求項１に記載のカメラに装着可能な交換レンズにおいて、
前記カメラ側バヨネット切欠部と連結可能なレンズ側バヨネット爪より後方にレンズ後玉後端を有し、
前記第１のバックフォーカスの交換レンズのレンズ後玉後端と前記揺動するミラーとが干渉しないカメラのカメラ側バヨネット切欠部と前記レンズ側バヨネット爪とは連結可能な一方、前記第１のバックフォーカスの交換レンズのレンズ後玉後端と前記揺動するミラーとが干渉するカメラのカメラ側バヨネット切欠部と前記レンズ側バヨネット爪との連結は当該連結の前にカメラと当該交換レンズとが当接することによって妨げられることを特徴とする交換レンズ。
【発明の詳細な説明】
【０００１】
【発明の属する技術分野】
本発明は、光学機器であるカメラ及び交換レンズに関するものである。
【０００２】
【従来の技術】
従来、取り外し可能な交換レンズを他の機種のカメラ本体に用いる場合、例えば、特開平２−３５４２８号に開示されているように、交換レンズとカメラ本体の間にマウントアダプタを用いて装着可能とするものや、また、実開平５−２５４３５号に記載されているように、交換レンズとカメラ本体の間に用いるマウントアダプタに交換レンズを装着する時、交換レンズの機種によって装着可能にすべきか否かを区別する手段として、マウントアダプタのバヨネットマウント爪開口部に突出部材を設け、マウントアダプタに装着可能な交換レンズには、交換レンズのバヨネットマウント爪がマウントアダプタ側の突出部材と干渉する位置に、当該突出部材を回避する範囲に亘って切欠き部を設けたものが開示されている。
【０００３】
【発明が解決しようとする課題】
しかしながら、上記従来例では、特開平２−３５４２８号の場合、交換レンズとカメラ本体の間にマウントアダプタを用いて交換レンズを他の機種のカメラ本体、特にフランジ・バック（レンズの取付け面から、ピント面までの距離）の違うものに装着できるようにしたものであるため、バックフォーカス（ピント面からレンズ後玉後端までの距離）の違う交換レンズを使用するカメラシステムには対応できないという問題がある。
【０００４】
また、実開平５−２５４３５号の場合は、テレコンバータと呼ばれる構造のマウントアダプタを用いて、そのバヨネットマウント爪開口部の形状と、交換レンズのバヨネットマウント爪の形状を対応させることにより、交換レンズをマウントアダプタに装着できるものとできないものの区別をしているものなので、カメラ本体のバヨネットマウントによっては区別できず、カメラ本体に直接交換レンズを装着することができないという問題がある。
【０００５】
更に、以上の例も含めて、これまで交換レンズのバックフォーカス（以降、ＢＦと略す）の違うものの、カメラ本体への装着の可否についての提案はされていない。
【０００６】
そこで、本発明の目的は、ＢＦの短い交換レンズをＢＦの長い交換レンズに対応したカメラ本体に装着できないようにして、装着できた場合の不具合の発生を避けることにある。
【０００９】
更に、本発明の目的は、ＢＦの短い交換レンズに対応したカメラ本体にＢＦの長い交換レンズの装着を可能にし、ＢＦの長いレンズ群をＢＦの短い交換レンズに対応したカメラ本体に全て装着できることにある。
【００２６】
【課題を解決するための手段】
本出願に係る発明は、交換レンズが装着可能であって揺動するミラーを有するカメラにおいて、前記ミラーが揺動したときに枢軸と対向するミラー位置の位置規制を行う規制部と、カメラ側バヨネット切欠部を有し前記交換レンズと装着可能なマウントとを有し、前記カメラ側バヨネット切欠部と連結可能なレンズ側バヨネット爪より後方にレンズ後玉後端を有する第１のバックフォーカスの交換レンズの当該レンズ後玉後端に対して干渉しないように前記揺動するミラーを設け、かつ該干渉しないミラーの規制を行うように前記規制部を設けることによって、第１のバックフォーカスの交換レンズと当該第１のバックフォーカスよりも長い第２のバックフォーカスの交換レンズとをいずれも装着することができることを特徴としている。
【００２７】
本出願に係る発明は、請求項１に記載のカメラに装着可能な交換レンズにおいて、前記カメラ側バヨネット切欠部と連結可能なレンズ側バヨネット爪より後方にレンズ後玉後端を有し、前記第１のバックフォーカスの交換レンズのレンズ後玉後端と前記揺動するミラーとが干渉しないカメラのカメラ側バヨネット切欠部と前記レンズ側バヨネット爪とは連結可能な一方、前記第１のバックフォーカスの交換レンズのレンズ後玉後端と前記揺動するミラーとが干渉するカメラのカメラ側バヨネット切欠部と前記レンズ側バヨネット爪との連結は当該連結の前にカメラと当該交換レンズとが当接することによって妨げられることを特徴としている。
【００６７】
【発明の実施の形態】
以下、本発明の一実施の形態を図に基づいて説明する。
図１は本発明の一実施の形態に係るＢＦが長い場合のカメラ本体と交換レンズのバヨネットマウントが係合開始前の挿入状態を示す正面図である。
図２は図１に示す双方のバヨネットマウントが係合した装着完了状態を示す正面図である。
図３は図２のＡ−Ａ線矢視断面図である。
【００６８】
図１に示すバヨネットマウントは、ＢＦの長い交換レンズを用いるカメラシステムのカメラ本体と交換レンズを着脱可能に結合するものであって、カメラ本体側マウント１とレンズ側マウント２の間で、一方のバヨネット爪が相手側のバヨネット切欠部に挿入された係合開始前の状態を示す正面図である。１ａはカメラ本体側バヨネット爪、１ｂはカメラ本体側バヨネット切欠部、２ａはレンズ側バヨネット爪、２ｂはレンズ側バヨネット切欠部である。
【００６９】
カメラ本体側バヨネット爪１ａは、カメラ本体側マウント１の内周縁の３個所に分けて配置され、これらのバヨネット爪１ａと交互するマウント１の内周縁の残りの３箇所にバヨネット切欠部１ｂが配置されている。交換レンズ側でもバヨネット爪２ａは、マウント２の外周縁の３箇所にカメラ本体側バヨネット切欠部１ｂと各々対応させた所に配置し、カメラ本体側バヨネット爪１ａと各々対応させた所のマウント２の外周縁の残り３箇所に、バヨネット切欠部２ｂを配置している。
【００７０】
また、交換レンズ側のバヨネット爪２ａの各々の幅寸法は、これに対応するカメラ本体側のバヨネット切欠部１ｂより僅かに小さく設定されていて、交換レンズ側のバヨネット切欠部２ｂの各々の幅寸法は、これに対応するカメラ本体側のバヨネット爪１ａよりも僅かに大きく設定されている。これらによって、交換レンズ側のマウント２を図１のようにカメラ本体側マウント１に正規位置で挿入した時は、互いのバヨネット爪１ａおよび２ａが干渉し合わず、また、別の角度位置から挿入しようとしたとき、バヨネット爪１ａおよび２ａ同士が干渉して挿入が阻止されるようになっている。
【００７１】
３は交換レンズ側マウント２に設けたロック穴であって、カメラ本体側のマウント１を貫通し且つ進退可能に設けられたロックピン４と係合することにより、カメラ本体と交換レンズを結合状態に位置決めするものである。θ１はカメラ本体側のバヨネット爪１ａのうちの１箇所の光軸垂直方向からの幅寸法を示したものであり、ＢＦの長い交換レンズを装着するカメラ本体側バヨネット爪１ａの基準角度となっている。
【００７２】
図２はカメラ本体側マウント１とレンズ側マウント２とが係合し、装着完了となった状態を示す正面図である。
【００７３】
ここで、レンズ側マウント２のマウント標点（図示していない）を、カメラ本体側マウント１の標点（図示していない）に合わせて、レンズ側マウント２をカメラ本体側マウント１に挿入した図１の状態から、装着方向（図１では反時計方向）にレンズ側マウント２を回転させる。そしてレンズ側のロック穴３がカメラ本体側のロックピン４と係合する位置までレンズ側マウント２を回転させると、マウント１及び２間で互いのバヨネット爪１ａ及び２ａが、図２に斜線で示すように３箇所で係合して装着完了状態となる。また、カメラ本体側マウント１と、このマウント１が取付けられるカメラ本体の前枠８の間には、図示していない圧着スプリングがあって、この圧着スプリングによりレンズのカメラ本体への回転装着途中及び装着完了状態において、レンズ側バヨネット爪２ａがカメラ本体側に押圧されバヨネット爪１ａ及び２ａ間のガタ付きが防止され、マウント１及び２間の密着状態が保たれるようになっている。
【００７４】
図３は図２のＡ−Ａ線の断面図であって、カメラ本体を構成する部品も含めて示した断面図である。
【００７５】
交換レンズは鏡筒２０、マウント２、レンズ後玉５等で構成されている。カメラ本体にはミラー６とミラー６を揺動可能に軸支する枢軸７を設け、ミラー６が揺動したときの先端部６ａの軌跡を矢印で示している。カメラ本体の前枠８に取付けた規制板９はミラー６が揺動するときのアップ位置を規制するものである。１０はピント板、１１はペンタプリズム、１２はフィルム、１３はＡＦユニット及び１４はカメラ本体である。
【００７６】
ここで、カメラ本体と交換レンズの位置関係は、図２で説明したようにカメラ本体側のバヨネット爪１ａと交換レンズ側のバヨネット爪２ａの係合により装着完了状態とするが、このときフィルム１２のピント面１２ａからレンズ後玉５の後端５ａまでの距離をレンズ側のバックフォーカス（ＢＦ）ｌ1としている。
【００７７】
そして、カメラ本体側はＢＦｌ1よりも短くなる範囲で、ミラー６の先端部６ａの軌跡（矢印）を設定するようにして、ミラー６がレンズ後玉５と干渉しないようにしている。
【００７８】
図４はＢＦの短い場合のカメラ本体と交換レンズのバヨネットマウントが係合開始前の挿入状態を示す正面図である。
図５は図４に示す双方のバヨネットマウントが係合した装着完了状態を示す正面図である。
図６は図５のＢ−Ｂ線矢視断面図である。
【００７９】
図４はＢＦの短い交換レンズを用いるカメラシステムのカメラ本体と交換レンズを着脱可能に結合するものであって、図１と同様の状態を示す正面図である。カメラ本体側マウント１０１には、カメラ本体側バヨネット爪１０１ａとカメラ本体側バヨネット切欠部１０１ｂがあり、レンズ側マウント１０２にはレンズ側バヨネット爪１０２ａとレンズ側バヨネット切欠部１０２ｂがある。
【００８０】
カメラ本体側バヨネット爪１０１ａは、カメラ本体側マウント１０１の内周縁の３箇所に分けて配置され、これらのバヨネット爪１０１ａと交互するマウント１０１の内周縁の残りの３箇所にバヨネット切欠部１０１ｂを配置している。交換レンズ側でもバヨネット爪１０２ａはマウント１０２の外周縁の３箇所にカメラ本体側バヨネット切欠部１０１ｂと各々対応する位置に配置し、カメラ本体側バヨネット爪１０１ａと各々対応する位置のマウント１０２の外周縁の残りの３箇所にバヨネット切欠部１０２ｂを配置している。
【００８１】
また、交換レンズ側のバヨネット爪１０２ａの各々の幅寸法は、これに対応するカメラ本体側のバヨネット切欠部１０１ｂより僅かに小さく設定されていて、交換レンズ側のバヨネット切欠部１０２ｂの各々の幅寸法は、これに対応するカメラ本体側のバヨネット爪１０１ａ（図１の１ａと同様）よりも僅かに大きく設定している。これによって、交換レンズ側のマウント１０２を図４のようにカメラ本体側マウント１０１に正規位置で挿入した時、互いのバヨネット爪１０１ａと１０２ａが干渉せず、また、別の角度位置から挿入しようとするとバヨネット爪１０１ａと１０２ａ同志が干渉して挿入が阻止されるようになっている。
【００８２】
ロック穴３及びロックピン４は図１の場合と同様の構成となっている。θ２はカメラ本体側のバヨネット爪１０１ａの中の１箇所の光軸垂直方向の幅寸法を示したもので、ＢＦの短い交換レンズを装着するカメラ本体側バヨネット爪１０１ａの角度であって、図１に示した基準角度θ１に対し、θ１＞θ２の関係になっている。
【００８３】
なお、ここではカメラ本体側のバヨネット爪１ａ及び１０１ａの角度についてのみ説明したが、この角度を示したカメラ本体側のバヨネット爪１ａ及び１０１ａに対応した位置のレンズ側のバヨネット爪２ａ及び１０２ａも、角度θ１及びθ２に対応して幅方向の寸法を変えている。すなわち、カメラ本体側のバヨネット爪１０１ａの幅寸法（角度θ２）を小さくした分、レンズ側のバヨネット爪１０２ａの幅寸法を大きくしたことになる。
【００８４】
図５はカメラ本体側マウント１０１とレンズ側マウント１０２が係合し装着完了となった状態を示す正面図である。レンズ側マウント１０２のマウント標点（図示していない）を、カメラ本体側マウント１０１のマウント標点（図示していない）に合わせ、レンズ側マウント１０２をカメラ本体側マウント１０１に挿入した図４に示す状態から、装着方向（図４では反時計方向）にレンズ側マウント１０２を回転させ、レンズ側のロック穴３がカメラ本体側のロックピン４と係合する位置までレンズ側マウント１０２を回転させると、マウント１０１及び１０２間で互いのバヨネット爪１０１ａ及び１０２ａが図５に斜線で示すように、３箇所で係合して装着完了状態となる。
【００８５】
また、カメラ本体側マウント１０１と、このマウント１０１を取付けるカメラ本体の前枠１０８の間には図示していない圧着スプリングがあり、レンズのカメラ本体への回転装着途中及び装着完了状態において、レンズ側バヨネット爪１０２ａをカメラ本体側に押圧してバヨネット１０１ａ及び１０２ａ間のガタつきを防止し、マウント１０１及び１０２間の密着状態が保たれるようになっている。
【００８６】
図６は図５のＢ−Ｂ線断面を示したもので、カメラ本体の構成部品も含めて示した断面図である。
【００８７】
交換レンズは鏡筒１２０と、鏡筒１２０に固着したマウント１０２と、後鏡筒１２１と、後鏡筒１２１に固着したレンズ後玉１０５等で構成されている。カメラ本体１１４には揺動ミラー１０６と、ミラー１０６を揺動可能に軸支する枢軸１０７を設け、ミラー１０６が揺動したときのミラー１０６の先端部１０６ａの軌跡を矢印で示している。カメラ本体の前枠１０８に取付けた規制板１０９は、ミラー１０６が揺動するときのアップ位置を規制するものである。その他、１１０はピント板、１１１はペンタプリズム、１１２はフィルム、１１３はＡＦユニットである。
【００８８】
ここで、カメラ本体と交換レンズの位置関係は、図５のようにカメラ本体側のバヨネット爪１０１ａと交換レンズ側のバヨネット爪１０２ａの係合により装着状態となるが、このときフィルム１１２のピント面１１２ａから、レンズ後玉１０５の後端１０５ａまでの距離をレンズ側のバックフォーカス（ＢＦ）ｌ2としている。
【００８９】
このＢＦｌ2は交換レンズのレンズ後玉１０５が、レンズ側マウント１０２よりもカメラ本体側にある後鏡筒１２１に配置しているので、ＢＦｌ1よりもＢＦｌ2の方が距離が短くなっている。そして、カメラ本体側はＢＦｌ2よりも短くなる範囲で、ミラー１０６の先端部１０６ａの軌跡（矢印）を設定するようにして、ミラー１０６がレンズ後玉１０５と干渉しないようにしている。
【００９０】
以上、説明したカメラシステムは、図１〜図３がＢＦの長い交換レンズを用いるカメラシステムで、図４〜図６がＢＦの短い交換レンズを用いるカメラシステムについて述べたものである。
【００９１】
図７はＢＦの長い交換レンズを用いるカメラ本体にＢＦの短い交換レンズを装着した場合の問題点の説明図である。
図８はＢＦの長い交換レンズを用いるカメラ本体にＢＦの短い交換レンズを装着する場合のバヨネットマウントの正面図である。
図９はＢＦの短い交換レンズを用いるカメラ本体にＢＦの長い交換レンズを装着する場合のバヨネットマウントの正面図である。
【００９２】
つぎに各図を参照して動作について説明する。
図７にはＢＦの長い交換レンズを用いるカメラシステムのカメラ本体に、ＢＦの短い交換レンズが装着可能だった場合の装着完了時の断面図を示している。図７で、カメラ本体のマウント１とレンズ側のマウント１０２の装着時の構成が、図３及び図６の場合と同じであるとすると、交換レンズのレンズ後玉１０５からフィルム１２のピント面１２ａまでの距離は、ＢＦｌ2と等しい。しかし、カメラ本体側はＢＦの長い交換レンズを用いるカメラシステムであり、図３に示すようにミラー６の先端部６ａは、ＢＦｌ1に対応した軌跡（矢印）でミラー６を揺動させるようになっているので、この場合ミラー６は交換レンズのレンズ後玉１０５と図７上に示す干渉点Ｐ１で干渉してしまう。
【００９３】
つまり、ＢＦの長い交換レンズを用いるカメラシステムのカメラ本体に、ＢＦの短い交換レンズが仮に装着可能だった場合、装着完了状態でレリーズ動作を行うと、カメラ本体のミラー６が交換レンズ側のレンズ後玉に干渉してしまい、撮影ができないという事態になる。ひいては、カメラ本体及び交換レンズの破損を招く恐れがある。
【００９４】
図８はＢＦの長い交換レンズを用いるカメラ本体に、ＢＦの短い交換レンズを装着する際のバヨネットマウントの状態を示す正面図であり、カメラ本体側のマウントは図１の場合と同じで、図１に示すＢＦの長い交換レンズを用いるカメラシステムのカメラ本体側のマウント１と同じである。レンズ側のマウントは、図４に示すＢＦの短い交換レンズを用いるカメラシステムのレンズ側のマウント１０２と同じである。このカメラ本体と交換レンズの組み合わせで仮に装着完了状態とした場合が図７のケースで、本発明ではこのケースを装着不可となる。
【００９５】
つまり、カメラ本体側のマウント１のバヨネット爪１ａの幅寸法は、３箇所あるバヨネット爪１ａのうちの１つが図１に示す基準角度θ１になっていて、レンズ側のマウント１０２のバヨネット爪１０２ａの幅寸法は、３箇所あるバヨネット爪１０２ａのうちのカメラ本体側のバヨネット爪１ａの基準角度θ１と対応する位置の１つのバヨネット爪１０２ａが図４に示す角度θ２の分大きくなっている。
【００９６】
このような状態でカメラ本体と交換レンズを装着しようとすると、図８に斜線で示す部分が干渉部Ｐ２となって装着を禁止する構成となっている。交換レンズ側のマウント１０２を図８のように、カメラ本体側のマウント１に正規の位置で挿入した時、互いのバヨネット爪１ａ及び１０２ａが干渉し、別の角度位置から挿入しようとした場合も挿入できないので、図７の場合に生ずる不具合は発生しないようにすることができる。
【００９７】
以上より、ＢＦの長い交換レンズを用いるカメラシステムのカメラ本体に、ＢＦの短い交換レンズを装着しようとしても装着できないので、図７に示すような不具合は未然に防止できる。
【００９８】
図９は図８とは逆に、カメラ本体側のマウントは図４に示したようなＢＦの短い交換レンズを用いるカメラシステムのマウント１０１と同じであり、レンズ側のマウントは図１に示したようなＢＦの長い交換レンズを用いるカメラシステムのマウント２と同じである。このカメラ本体と交換レンズの組合わせで、バヨネットマウントの回転装着前の挿入状態が図９に示す状態である。
【００９９】
図９でカメラ本体側のマウント１０１のバヨネット爪１０１ａの幅寸法は３箇所あるバヨネット爪１０１ａの中の１つが、図４に示す角度θ２になっている。一方、レンズ側のマウント２のバヨネット爪２ａの幅寸法は、３箇所あるバヨネット爪２ａの中のカメラ本体側のバヨネット爪１０１ａの角度θ２と対応する位置の１つのバヨネット爪２ａが図１に示す基準角度θ１である分小さくなる。
【０１００】
従って、このカメラ本体と交換レンズを装着する場合は、図９に斜線で示す部分が空間部Ｐ３となって装着可能となる。
【０１０１】
依って、本発明のカメラシステムによれば、ＢＦの長い交換レンズはＢＦの長いカメラ本体にも、ＢＦの短いカメラ本体にもどちらにも装着可能であって、ＢＦの短い交換レンズはＢＦの長いカメラ本体には装着不可能であり、ＢＦの短いカメラ本体には装着可能としたものである。そして、交換レンズとカメラ本体との装着の可否は、交換レンズ側のバヨネット爪２ａ及び１０２ａと、カメラ本体側のバヨネット爪１ａ及び１０１ａの幅寸法の角度を変えることによって達成している。
【０１０２】
また、図示していないが、ＢＦの長い交換レンズを用いるカメラシステムも、ＢＦの短い交換レンズを用いるシステムも、カメラ本体側のマウント１及び１０１の交換レンズの取り付け面から、フィルム１２及び１１２のピント面１２ａ及び１１２ａまでの距離を表すフランジ・バックは共通である。
【０１０３】
このフランジ・バックを共通にすることによって、例えば、ＢＦの長い交換レンズを用いるカメシステムが既に確立されていて、その交換レンズの数、種類も豊富に揃っていたとすると、そこに新システムとしてＢＦの短い交換レンズを用いるカメラシステムが後から確立されるような場合、マウント形状やフランジ・バックが変わってしまうことになって、ＢＦの長い交換レンズは使用できず全くの無駄になってしまう。
【０１０４】
そこで、新システムの場合にも対処できるように、マウント形状はバヨネット爪及びバヨネット切欠部の若干の幅寸法の変更のみとしフランジ・バックは共通とすることで、豊富に揃ったＢＦの長い交換レンズ群を、ＢＦの短い交換レンズを用いる新カメラシステムで使用することが可能になるという大きなメリットが発生する。
【０１０５】
また、カメラ本体と交換レンズの間にアダプタ等を装着しなくても、カメラ本体に直接交換レンズを装着してピントの合った撮影が可能なので、例えば、ＢＦの長い交換レンズを用いるカメラシステムに慣れた人が、ＢＦの短い交換レンズを用いるカメラシステムを使い始めたとしても、ＢＦの長い交換レンズがＢＦの短い交換レンズを用いるカメラシステムのカメラ本体に装着できることになり、従来通りの慣れた操作性で撮影できるようになる。
【０１０６】
また、一眼レフカメラの場合は、揺動ミラー６があるので揺動ミラー６の先端の回動軌跡の位置によって機構的にＢＦも必然的に決定される。そこでアパーチャサイズ（撮影画面の大きさ）を小さくすることによって、アパーチャサイズに対応して揺動ミラー６も小さくしてミラー先端部の回動軌跡の位置をフィルム１２面側に寄せることが可能になり、結果的にＢＦを短くすることができる。付随的に交換レンズもコンパクトにすることも可能になる。
【０１０７】
以上、説明したように、本実施の形態によれば、ＢＦの長い交換レンズはＢＦの長いカメラ本体にも、ＢＦの短いカメラ本体にも装着可能とし、ＢＦの短い交換レンズはＢＦの短いカメラ本体に装着可能とするに際し、交換レンズとカメラ本体との装着の可否を双方のバヨネット爪の幅寸法を最小限変更するだけでメカ的に確実に達成することができた。
【０１０８】
また、ＢＦの長い交換レンズを用いるシステムもＢＦの短い交換レンズを用いるシステムの場合も、フランジ・バックを共通とすることによって、交換レンズの併用範囲を拡大し、アダプタ等を使用しないでピントの合った撮影が可能になった。
【０１０９】
また、カメラ側のアパーチャサイズを小さくすることによって、揺動ミラーと交換レンズの後玉との干渉を無くしＢＦを短くすることが可能になった。
【０１１０】
ＢＦの長い交換レンズを用いるカメラシステムが１３５フィルムを用いるカメラシステムとし、ＢＦの短い交換レンズを用いるカメラシステムがＩＸ２４０フィルムを用いるカメラシステムとして、図１乃至図９に示した実施形態を再度説明する。
【０１１１】
図１は１３５フィルムを用いるカメラシステムのカメラ本体と交換レンズのバヨネットマウントが係合開始前の挿入状態を示す正面図である。
図２は図１に示す双方のバヨネットマウントが係合した装着完了状態を示す正面図である。
図３は図２のＡ−Ａ線矢視断面図である。
【０１１２】
図１に示すバヨネットマウントは、従来のカメラシステムとしての１３５フィルムを用いるカメラシステムのカメラ本体と交換レンズを着脱可能に結合するものであって、カメラ本体側マウント１とレンズ側マウント２の間で、一方のバヨネット爪が相手側のバヨネット切欠部に挿入された係合開始前の状態を示す正面図である。１ａはカメラ本体側バヨネット爪、１ｂはカメラ本体側バヨネット切欠部、２ａはレンズ側バヨネット爪、２ｂはレンズ側バヨネット切欠部である。
【０１１３】
カメラ本体側バヨネット爪１ａは、カメラ本体側マウント１の内周縁の３箇所に分けて配置され、これらのバヨネット爪１ａと交互するマウント１の内周縁の残りの３箇所にバヨネット切欠部１ｂが配置されている。交換レンズ側でもバヨネット爪２ａは、マウント２の外周縁の３箇所にカメラ本体側バヨネット切欠部１ｂと各々対応させたところに配置し、カメラ本体側バヨネット爪１ａと各々対応させたところのマウント２の外周縁の残り３箇所に、バヨネット切欠部２ｂを配置している。
【０１１４】
また、交換レンズ側のバヨネット爪２ａの配置角は、これに対応するカメラ本体側のバヨネット切欠部１ｂより僅かに小さく設定されていて、交換レンズ側のバヨネット切欠部２ｂの配置角は、これに対応するカメラ本体側のバヨネット爪１ａよりも僅かに大きく設定されている。これらによって、交換レンズ側のマウント２を図１のようにカメラ本体側マウント１に正規位置で挿入した時は、互いのバヨネット爪１ａ及び２ａが干渉し合わず、また、別の角度位置から挿入しようとした時、バヨネット爪１ａ及び２ａ同士が干渉して挿入が阻止されるようになっている。
【０１１５】
３は交換レンズ側マウント２に設けたロック穴であって、カメラ本体側のマウント１を貫通し且つ進退可能に設けられたロックピン４と係合することにより、カメラ本体と交換レンズを結合状態に位置決めするものである。θ１はロックピン４を通る直径と直交する基準線からの角度を示したものであり、１３５フィルムを用いるカメラシステムの交換レンズを装着するカメラ本体側バヨネット爪１ａの基準角度となっている。
【０１１６】
図２はカメラ本体側マウント１とレンズ側マウント２とが係合し、装着完了となった状態を示す正面図である。
【０１１７】
ここで、レンズ側マウント２のマウント標点（図示していない）を、カメラ本体側マウント１の標点（図示していない）に合わせて、レンズ側マウント２をカメラ本体側マウント１に挿入した図１の状態から、装着方向（図１では反時計方向）にレンズ側マウント２を回転させる。そしてレンズ側のロック穴３がカメラ本体側のロックピン４と係合する位置までレンズ側マウント２を回転させると、マウント１及び２間で互いのバヨネット爪１ａ及び２ａが、図２に斜線で示すように３箇所で係合して装着完了状態となる。また、カメラ本体側マウント１と、このマウント１が取付けられるカメラ本体の前枠８の間には、図示していない圧着スプリングがあって、この圧着スプリングによりレンズのカメラ本体への回転装着途中及び装着完了状態において、レンズ側バヨネット爪２ａがカメラ本体側に押圧されバヨネット爪１ａ及び２ａ間のガタつきが防止され、マウント１及び２間の密着状態が保たれるようになっている。
【０１１８】
図３は図２のＡ−Ａ線の断面図であって、カメラ本体を構成する部品も含めて示した断面図である。
【０１１９】
交換レンズは鏡筒２０、マウント２、レンズ後玉５等で構成されている。カメラ本体にはミラー６とミラー６を揺動可能に軸支する枢軸７を設け、ミラー６が揺動した時の先端部６ａの軌跡を矢印で示している。カメラ本体の前枠８に取付けた規制板９はミラー６が揺動する時のアップ位置を規制するものである。１０はピント板、１１はペンタプリズム、１２はフィルム、１３はＡＦユニット及びカメラ本体である。
【０１２０】
ここで、カメラ本体と交換レンズの位置関係は、図２で説明したようにカメラ本体側のバヨネット爪１ａと交換レンズ側のバヨネット爪２ａの係合により装着完了状態とするが、この時フィルム１２のピント面１２ａからレンズ後玉５の後端５ａまでの距離をレンズ側のバックフォーカス（ＢＦ）ｌ1としている。
【０１２１】
そして、カメラ本体側はＢＦｌ1よりも短くなる範囲で、ミラー６の先端部６ａの軌跡（矢印）を設定するようにして、ミラー６がレンズ後玉５と干渉しないようにしている。
【０１２２】
図４は新しいフィルム  ｆｏｒｍａｔであるＩＸ２４０フィルムを使用するカメラシステムのカメラ本体と交換レンズのバヨネットマウントが係合開始前の挿入状態を示す正面図である。図５は図４に示す双方のバヨネットマウントが係合した装着完了状態を示す正面図である。図６は図５のＢ−Ｂ線矢視断面図である。
【０１２３】
図４はＩＸ２４０フィルムを用いるカメラシステムのカメラ本体と交換レンズを着脱可能に結合するものであって、図１と同様の状態を示す正面図である。カメラ本体側マウント１０１には、カメラ本体側バヨネット爪１０１ａとカメラ本体側バヨネット切欠部１０１ｂがあり、レンズ側マウント１０２にはレンズ側バヨネット爪１０２ａとレンズ側バヨネット切欠部１０２ｂがある。
【０１２４】
カメラ本体側バヨネット爪１０１ａは、カメラ本体側マウント１０１の内周縁の３箇所に分けて配置され、これらのバヨネット爪１０１ａと交互するマウント１０１の内周縁の残り３箇所にバヨネット切欠部１０１ｂを配置している。交換レンズ側でもバヨネット爪１０２ａはマウント１０２の外周縁の３箇所にカメラ本体側バヨネット切欠部１０１ｂと各々対応する位置に配置し、カメラ本体側バヨネット爪１０１ａと各々対応する位置のマウント１０２の外周縁の残りの３箇所にバヨネット切欠部１０２ｂを配置している。
【０１２５】
また、交換レンズ側のバヨネット爪１０２ａの配置角は、これに対応するカメラ本体側のバヨネット切欠部１０１ｂより僅かに小さく設定されていて、交換レンズ側のバヨネット切欠部１０２ｂの配置角は、これに対応するカメラ本体側のバヨネット爪１０１ａ（図１の１ａと同様）よりも僅かに大きく設定している。これによって、交換レンズ側のマウント１０２を図４のようにカメラ本体側マウント１０１に正規位置で挿入した時、互いのバヨネット爪１０１ａと１０２ａが干渉せず、また、別の角度位置から挿入しようとするとバヨネット爪１０１ａと１０２ａ同士が干渉して挿入が阻止されるようになっている。
【０１２６】
ロック穴３及びロックピン４は図１の場合と同様の構成となっている。θ２はロックピン４を通る直径と直交する基準線からの角度を示したもので、ＩＸ２４０フィルムを用いるカメラシステムの交換レンズを装着するカメラ本体側バヨネット爪１０１ａの角度であって、図１に示した基準角度θ１に対し、θ１＞θ２の関係になっている。
【０１２７】
なお、ここではカメラ本体側のバヨネット爪１ａ及び１０１ａの角度についてのみ説明したが、この角度を示したカメラ本体側のバヨネット爪１ａ及び１０１ａに対応した位置のレンズ側のバヨネット爪２ａ及び１０２ａも、基準角度θ１及びθ２に対応して配置角を変えている。
【０１２８】
図５はカメラ本体側マウント１０１とレンズ側マウント１０２が係合し装着完了となった状態を示す正面図である。レンズ側マウント１０２のマウント標点（図示していない）を、カメラ本体側マウント１０１のマウント標点（図示していない）に合わせ、レンズ側マウント１０２をカメラ本体側マウント１０１に挿入した図４に示す状態から、装着方向（図４では反時計方向）にレンズ側マウント１０２を回転させ、レンズ側のロック穴３がカメラ本体側のロックピン４と係合する位置までレンズ側マウント１０２を回転させると、マウント１０１及び１０２間で互いのバヨネット爪１０１ａ及び１０２ａが図５に斜線で示すように、３箇所で係合して装着完了状態となる。
【０１２９】
また、カメラ本体側マウント１０１と、このマウント１０１を取付けるカメラ本体の前枠１０８の間には図示していない圧着スプリングがあり、レンズのカメラ本体への回転装着途中及び装着完了状態において、レンズ側バヨネット爪１０２ａをカメラ本体側に押圧してバヨネット１０１ａ及び１０２ａ間のガタつきを防止し、マウント１０１及び１０２間の密着状態が保たれるようになっている。
【０１３０】
図６は図５のＢ−Ｂ線断面を示したもので、ＩＸ２４０フィルムを用いるカメラシステムについてカメラ本体の構成部品も含めて示した断面図である。
【０１３１】
交換レンズは鏡筒１２０と、鏡筒１２０に固着したマウント１０２と、後鏡筒１２１と、後鏡筒１２１に固着したレンズ後玉１０５等で構成されている。カメラ本体１１４には揺動ミラー１０６と、ミラー１０６を揺動可能に軸支する枢軸１０７を設け、ミラー１０６が揺動した時のミラー１０６の先端部１０６ａの軌跡を矢印で示している。カメラ本体の前枠１０８に取付けた規制板１０９は、ミラー１０６が揺動する時のアップ位置を規制するものである。その他、１１０はピント板、１１１はペンタプリズム、１１２はフィルム、１１３はＡＦユニットである。
【０１３２】
ここで、カメラ本体と交換レンズの位置関係は、図５のようにカメラ本体側のバヨネット爪１０１ａと交換レンズ側のバヨネット爪１０２ａの係合により装着状態となる。そして、この時フィルム１１２のピント面１１２ａから、レンズ後玉１０５の後端１０５ａまでの距離がバックフォーカスｌ2となる。
【０１３３】
ＩＸ２４０フィルムを用いるカメラシステムの交換レンズは、レンズ後玉１０５が、レンズ側マウント１０２よりもカメラ本体側にある後鏡筒１２１に配置しているので、図６に示したＩＸ２４０フィルムを用いるカメラシステムの交換レンズのｂａｃｋ  ｆｏｃｕｓ  ｌ2は図３に示した１３５フィルムを用いるカメラシステムの交換レンズのｂａｃｋ  ｆｏｃｕｓ  ｌ1よりも短く設定することができる。そして、ＩＸ２４０フィルムを用いるカメラシステムのカメラ本体は、ｂａｃｋ  ｆｏｃｕｓ  ｌ2よりも短くなる範囲で、ミラー１０６の先端部１０６ａの軌跡（矢印）を設定するようにして、ミラー１０６がレンズ後玉１０５と干渉しないようにしている。
【０１３４】
以上、説明したカメラシステムは、図１〜図３が１３５フィルムを用いるカメラシステムの交換レンズを用いるカメラシステムで、図４〜図６がＩＸ２４０フィルムを用いるカメラシステムの交換レンズを用いるカメラシステムについて述べたものである。
【０１３５】
図７は１３５フィルムを用いるカメラシステムのカメラ本体にＩＸ２４０フィルムを用いるカメラシステムの交換レンズを装着した場合の問題点の説明である。
図８は１３５フィルムを用いるカメラシステムのカメラ本体にＩＸ２４０フィルムを用いるカメラシステムの交換レンズを装着する場合のバヨネットマウントの正面図である。
図９は、ＩＸ２４０フィルムを用いるカメラシステムのカメラ本体に１３５フィルムを用いるカメラシステムの交換レンズを装着する場合のバヨネットマウントの正面図である。
【０１３６】
次に各図を参照して動作について説明する。ＩＸ２４０フィルムは、１３５フィルムよりも１コマのフィルム面積が小さいので、１３５フィルムを用いるカメラシステムのカメラ本体と、ＩＸ２４０フィルムを用いるカメラシステムのカメラ本体とを比較すると、ＩＸ２４０フィルムを用いるカメラ本体の方がフィルム面積が小さい分だけミラーも小さくすることができる。そして、この両者のカメラ本体を同じフランジバックとなるように設計すると、ＩＸ２４０フィルムを用いるカメラ本体は、マウントからミラーの先端までの距離を１３５フィルムを用いるカメラ本体よりも大きく設定することになる。
【０１３７】
従って、ＩＸ２４０フィルムを用いるカメラシステムの交換レンズのレンズ後玉は、１３５フィルムを用いるカメラシステムの交換レンズのレンズ後玉よりも、フィルム面に近い位置に配置することができる。
【０１３８】
ところが、このような位置にレンズ後玉を配置したＩＸ２４０フィルムを用いるカメラシステムの交換レンズを、１３５フィルムを用いるカメラ本体に装着すると、ミラーの先端がレンズ後玉に衝突してしまう。
【０１３９】
図７には１３５フィルムを用いるカメラシステムのカメラ本体に、ＩＸ２４０フィルムを用いるカメラシステムの交換レンズが装着可能だった場合の装着完了時の断面図を示している。図７で、カメラ本体のマウント１とレンズ側のマウント１０２の装着時の構成が、図３及び図６の場合と同じであるとすると、交換レンズのレンズ後玉１０５からフィルム１２のピント面１２ａまでの距離は、ｂａｃｋ  ｆｏｃｕｓ  ｌ2と等しい。しかし、カメラ本体側は１３５フィルムを用いるカメラシステムであるから、ＩＸ２４０フィルムを用いるカメラ本体より大型のミラーを持つので、ミラー６の先端部６ａは矢印で示した軌跡でミラー６を揺動させる。従って、ミラー６の先端部６ａは交換レンズのレンズ後玉１０５と図中のＰ１で衝突してしまう。
【０１４０】
つまり、１３５フィルムを用いるカメラシステムのカメラ本体に、ＩＸ２４０フィルムを用いるカメラシステムの交換レンズが仮に装着可能だった場合、装着完了状態でレリーズ動作を行うと、カメラ本体のミラー６が交換レンズ側のレンズ後玉に干渉してしまい、撮影ができないという事態になる。ひいては、カメラ本体及び交換レンズの破損を招く恐れがある。
【０１４１】
図８は１３５フィルムを用いるカメラ本体に、ＩＸ２４０フィルムを用いるカメラシステムの交換レンズを装着する際のバヨネットマウントの状態を示す正面図であり、カメラ本体側のマウントは図１の場合と同じである。レンズ側のマウントは、図４に示すレンズ側のマウント１０２と同じである。カメラ本体側のマウント１のバヨネット爪１ａの配置角は、基準角度θ１に対応した配置角に設定されていて、レンズ側のマウント１０２のバヨネット爪１０２ａの配置角は、基準角度θ２に対応した配置角に設定されている。
【０１４２】
このような状態でカメラ本体と交換レンズを装着しようとすると、図８に斜線で示す部分が干渉部Ｐ２となるので、装着できない構成となっている。交換レンズ側のマウント１０２を図８のように、カメラ本体側のマウント１に正規の位置で挿入した時、互いのバヨネット爪１ａ及び１０２ａが干渉し、別の角度位置から挿入しようとした場合も挿入できないので、図７を用いて説明した不具合は発生しないようにすることができる。
【０１４３】
従って、１３５フィルムを用いるカメラシステムのカメラ本体に、ＩＸ２４０フィルムを用いるカメラシステムの交換レンズを装着しようとしても装着できないので、図７に示すような不具合は未然に防止できる。
【０１４４】
図９はＩＸ２４０フィルムを用いるカメラシステムのカメラ本体と１３５フィルムを用いるカメラシステムの交換レンズの組み合わせとこのバヨネットマウントの回転装着前の挿入状態を示す図である。
【０１４５】
図９でカメラ本体側のマウント１０１のバヨネット爪１０１ａの配置角は、基準角度θ２に対応する配置角に設定されている。一方、レンズ側のマウント２のバヨネット爪２ａの配置角は、基準角度θ１に対応する配置角に設定されている。
【０１４６】
従って、このカメラ本体と交換レンズを装着する場合は、図９に斜線で示す部分が空間部Ｐ３となって装着可能となる。
【０１４７】
依って、１３５フィルムを用いるカメラシステムの交換レンズは、当然１３５フィルムを用いるカメラシステムのカメラ本体に装着可能であると共に、ＩＸ２４０フィルムを用いるカメラシステムのカメラ本体にも装着可能であって、ＩＸ２４０フィルムを用いるカメラシステムの交換レンズは１３５フィルムを用いるカメラシステムのカメラ本体には装着不能とし、ＩＸ２４０フィルムを用いるカメラシステムのカメラ本体にのみ装着可能としたものである。そして、交換レンズとカメラ本体との装着の可否は、交換レンズ側のバヨネット爪２ａ及び１０２ａと、カメラ本体側のバヨネット爪１ａ及び１０１ａの配置角を変えることによって達成している。
【０１４８】
また、図示していないが、１３５フィルムを用いるカメラシステムも、ＩＸ２４０フィルムを用いるシステムも、カメラ本体側のマウント１及び１０１の交換レンズの取付け面から、フィルム１２及び１１２のピント面１２ａ及び１１２ａまでの距離を表すフランジ・バックは共通である。
【０１４９】
このフランジ・バックを共通にすることによって、ＩＸ２４０フィルムを用いるカメラシステムは、１３５フィルムを用いるカメラシステムの交換レンズをそのまま使用することができる。また、ＩＸ２４０フィルムを用いるカメラシステムの交換レンズは、レンズ後玉をフィルム面に近づけて配置することができるので、光軸方向に小型化することができる。
【０１５０】
以上、説明したように、１３５フィルムを用いるカメラシステムの交換レンズは１３５フィルムを用いるカメラ本体にも、ＩＸ２４０フィルムを用いるカメラ本体にも装着可能とし、ＩＸ２４０フィルムを用いるカメラシステムの交換レンズはＩＸ２４０フィルムのカメラ本体にのみ装着可能とすることができる。交換レンズとカメラ本体との装着の可否を双方のバヨネット爪の配置角を最小限変更するだけでメカ的に確実に達成することができた。
【０１５１】
【発明の効果】
本発明によれば、ＢＦの短い交換レンズに対応したカメラ本体にＢＦの長い交換レンズの装着を可能としたので、ＢＦの長い交換レンズ群はＢＦの短い交換レンズに対応したカメラ本体に全て装着可能になり、充実したカメラシステムを構成できる。
【０１５２】
本発明によれば、ＢＦの短い交換レンズはＢＦの長い交換レンズに対応するカメラ本体には装着できないように構成したので、装着できた場合に発生する不具合を全て解消でき、ＢＦの異なるカメラシステムを相互に使用する場合でも不安なく使用することが可能になる。
【図面の簡単な説明】
【図１】本発明の一実施の形態に係るカメラのＢＦが長い場合のカメラ本体と交換レンズのバヨネットマウントが係合開始前の挿入状態を示す正面図である。
【図２】図１に示す双方のバヨネットマウントが係合した装着完了状態を示す正面図である。
【図３】図２のＡ−Ａ線矢視断面図である。
【図４】本発明のカメラのＢＦが短い場合のカメラ本体と交換レンズのバヨネットマウントが係合開始前の挿入状態を示す正面図である。
【図５】図４に示す双方のバヨネットマウントが係合した装着完了状態を示す正面図である。
【図６】図５のＢ−Ｂ線矢視断面図である。
【図７】本発明のカメラのＢＦが長い交換レンズを用いるカメラ本体にＢＦの短い交換レンズを装着した場合の問題点を示す図である。
【図８】本発明のカメラのＢＦが長い交換レンズを用いるカメラ本体にＢＦの短い交換レンズを装着する場合のバヨネットマウントの正面図である。
【図９】本発明のカメラのＢＦが短い交換レンズを用いるカメラ本体にＢＦの長い交換レンズを装着する場合のバヨネットマウントの正面図である。
【符号の説明】
１，１０１  カメラ本体側マウント
１ａ，１０１ａ  カメラ本体側バヨネット爪
１ｂ，１０１ｂ  カメラ本体側バヨネット切欠部
２，２０２  レンズ側マウント
２ａ，１０２ａ  レンズ側バヨネット爪
２ｂ，１０２ｂ  レンズ側バヨネット切欠部
３  ロック穴
４  ロックピン
５，１０５  レンズ後玉
６，１０６  ミラー
８，１０８  前枠
１２，１１２  フィルム
２０，１２０  鏡筒
１２１  後鏡筒
ｌ1，ｌ2  バックフォーカス
【図１】
0003919280.tif 000002
【図２】
0003919280.tif 000003
【図３】
0003919280.tif 000004
【図４】
0003919280.tif 000005
【図５】
0003919280.tif 000006
【図６】
0003919280.tif 000007
【図７】
0003919280.tif 000008
【図８】
0003919280.tif 000009
【図９】
0003919280.tif 000010